(57)【特許請求の範囲】
【請求項１】
給水管及び給湯管に接続された給湯熱交換器と、
複数のバーナブロックにより燃焼面を分割して構成され、前記給湯熱交換器を流通する水を加熱する給湯バーナと、
給湯ノズルを通してそれぞれの前記バーナブロックに燃料を供給する給湯マニホールドと、
熱媒循環路の途中に設けられた循環熱交換器と、
前記循環熱交換器を流通する熱媒を加熱する循環バーナと、
循環ノズルを通して前記循環バーナに燃料を供給する循環マニホールドと、
前記給湯マニホールド及び前記循環マニホールドに対する燃料の供給圧力を調整する共通燃料供給手段と、
前記給湯バーナ及び前記循環バーナに燃焼用空気を供給する共通ファンと、
前記給湯バーナについて、燃焼させる前記バーナブロックの組合せにより燃焼量の可変範囲の一部が重複した複数の燃焼段を設定し、前記給湯管から目標給湯温度の湯が供給されるように該目標給湯温度に対応する目標給湯燃焼量を決定して、該目標給湯燃焼量が得られるように、前記燃焼段を選択して、前記共通燃料供給手段による燃料の供給圧力及び前記共通ファンによる燃焼用空気の供給流量を制御する給湯運転を実行する給湯制御部と、
前記給湯運転が実行されていないときは、前記循環熱交換器から目標循環温度の熱媒が供給されるように、前記共通燃料供給手段による燃料の供給圧力及び前記共通ファンによる燃焼用空気の供給流量を制御する単独循環加熱運転を実行し、前記給湯運転が実行されているときには、前記給湯制御部により制御されている前記共通ファンによる燃焼用空気の供給流量に応じた燃焼量が得られるように、前記共通燃料供給手段による燃料の供給圧力を制御する同時循環加熱運転を実行する循環加熱制御部と、
前記熱媒循環路から前記循環熱交換器に戻る熱媒の温度を検出する戻り熱媒温度検出手段と
を備えた熱源装置において、
前記給湯制御部は、前記同時循環加熱運転が実行されているときに、前記給湯運転において、前記目標給湯燃焼量が得られる前記燃焼段が複数あり、前記戻り熱媒温度検出手段の検出温度が所定温度以下である場合には、燃焼させる前記バーナブロックの燃焼面の面積が少なくなる前記燃焼段を選択する燃焼面積減少処理を実行することを特徴とする熱源装置。
【請求項２】
給水管及び給湯管に接続された給湯熱交換器と、
複数のバーナブロックにより燃焼面を分割して構成され、前記給湯熱交換器を流通する水を加熱する給湯バーナと、
給湯ノズルを通してそれぞれの前記バーナブロックに燃料を供給する給湯マニホールドと、
熱媒循環路の途中に設けられた循環熱交換器と、
前記循環熱交換器を流通する熱媒を加熱する循環バーナと、
循環ノズルを通して前記循環バーナに燃料を供給する循環マニホールドと、
前記給湯マニホールド及び前記循環マニホールドに対する燃料の供給圧力を調整する共通燃料供給手段と、
前記給湯バーナ及び前記循環バーナに燃焼用空気を供給する共通ファンと、
前記給湯バーナについて、燃焼させる前記バーナブロックの組合せにより燃焼量の可変範囲の一部が重複した複数の燃焼段を設定し、前記給湯管から目標給湯温度の湯が供給されるように該目標給湯温度に対応する目標給湯燃焼量を決定して、該目標給湯燃焼量が得られるように、前記燃焼段を選択して、前記共通燃料供給手段による燃料の供給圧力及び前記共通ファンによる燃焼用空気の供給流量を制御する給湯運転を実行する給湯制御部と、
前記給湯運転が実行されていないときは、前記循環熱交換器から目標循環温度の熱媒が供給されるように、前記共通燃料供給手段による燃料の供給圧力及び前記共通ファンによる燃焼用空気の供給流量を制御する単独循環加熱運転を実行し、前記給湯運転が実行されているときには、前記給湯制御部により制御されている前記共通ファンによる燃焼用空気の供給流量に応じた燃焼量が得られるように、前記共通燃料供給手段による燃料の供給圧力を制御する同時循環加熱運転を実行する循環加熱制御部と
を備えた熱源装置において、
前記給湯制御部は、前記同時循環加熱運転が実行されているときに、前記給湯運転において、前記目標給湯燃焼量が得られる前記燃焼段が複数あり、前記循環バーナの燃焼量が所定燃焼量以下である場合には、燃焼させる前記バーナブロックの燃焼面の面積が少なくなる前記燃焼段を選択する燃焼面積減少処理を実行することを特徴とする熱源装置。
【発明の詳細な説明】
【技術分野】
【０００１】
本発明は、給湯用の熱交換器を加熱するバーナと循環加熱用の熱交換器を加熱するバーナとに対して、共通のファンにより燃焼用空気を供給する熱源装置に関する。
【背景技術】
【０００２】
従来、給湯用の熱交換器を加熱する給湯バーナと、熱媒の循環路（浴槽に接続された追焚き循環路、暖房端末に接続された暖房循環路等）に設けられた循環加熱用の熱交換器（追焚き熱交換器、暖房熱交換器等）を加熱する循環加熱バーナ（追焚きバーナ、暖房バーナ等）に対する燃焼用空気の供給を、共通ファンによって行う熱源装置が知られている（例えば、特許文献１参照）。
【０００３】
特許文献１には、給湯用の熱交換器（給湯熱交換器）を加熱する給湯バーナと、追焚き用の熱交換器（追焚き熱交換器）を加熱する追焚きバーナとに対する燃焼用空気の供給を共通ファンにより行い、各バーナへの燃料供給を共通の燃料供給手段で行う構成が記載されている。
【０００４】
このように、給湯バーナと循環加熱バーナに対する燃焼用空気の供給と燃料供給とを、共通ファン及び共通の燃料供給手段によって行う場合、給湯運転と追焚き運転等の循環加熱運転とを同時に実行するときには、給湯温度を維持するために給湯運転が優先される。すなわち、目標給湯温度に応じて給湯バーナの燃焼量（目標給湯燃焼量）が決定され、目標給湯燃焼量が得られるように共通ファンの回転速度及び共通の燃料供給手段による燃料供給量が設定される。
【０００５】
この場合、循環加熱バーナには、目標給湯燃焼量に基づく流量で燃焼用空気と燃料が供給され、循環加熱バーナはこの流量に対応した燃焼量で燃焼する。すなわち、循環加熱バーナの燃焼量は、給湯バーナの燃焼量に応じて決定されたファンの回転速度と燃料供給量に応じた成り行きとなる。そのため、目標給湯燃焼量によっては、循環加熱バーナの燃焼量が減少して加熱による熱媒の温度上昇が不足し、その結果、熱媒の温度が燃焼排気の露点近くになって循環加熱用の熱交換器からドレンが生じ易い状況となる。
【０００６】
そこで、特許文献１に記載された熱源装置においては、給湯運転と追焚き運転の同時実行時に、追焚き熱交換器に流入する湯水の温度が所定温度以下になったときには、追焚き運転を停止し、給湯運転が終了した時に追焚き運転を再開するようにして、追焚き熱交換器でのドレンの発生を防止している。
【先行技術文献】
【特許文献】
【０００７】
【特許文献１】特開平５−３９９５１号公報
【発明の概要】
【発明が解決しようとする課題】
【０００８】
特許文献１に記載された熱源装置のように、給湯運転と循環加熱運転の実行タイミングが重なった時に循環加熱運転の実行を制限すると、期待されていた循環加熱運転による効果が得られなくなるという不都合がある。
【０００９】
本発明はかかる背景に鑑みてなされたものであり、循環加熱用の熱交換器でドレンが発生することを抑制して、給湯運転と循環加熱運転を同時に実行する熱源装置を提供することを目的とする。
【課題を解決するための手段】
【００１０】
本発明は、給水管及び給湯管に接続された給湯熱交換器と、
複数のバーナブロックにより燃焼面を分割して構成され、前記給湯熱交換器を流通する水を加熱する給湯バーナと、
給湯ノズルを通してそれぞれの前記バーナブロックに燃料を供給する給湯マニホールドと、
熱媒循環路の途中に設けられた循環熱交換器と、
前記循環熱交換器を流通する熱媒を加熱する循環バーナと、
循環ノズルを通して前記循環バーナに燃料を供給する循環マニホールドと、
前記給湯マニホールド及び前記循環マニホールドに対する燃料の供給圧力を調整する共通燃料供給手段と、
前記給湯バーナ及び前記循環バーナに燃焼用空気を供給する共通ファンと、
前記給湯バーナについて、燃焼させる前記バーナブロックの組合せにより燃焼量の可変範囲の一部が重複した複数の燃焼段を設定し、前記給湯管から目標給湯温度の湯が供給されるように該目標給湯温度に対応する目標給湯燃焼量を決定して、該目標給湯燃焼量が得られるように、前記燃焼段を選択して、前記共通燃料供給手段による燃料の供給圧力及び前記共通ファンによる燃焼用空気の供給流量を制御する給湯運転を実行する給湯制御部と、
前記給湯運転が実行されていないときは、前記循環熱交換器から目標循環温度の熱媒が供給されるように、前記共通燃料供給手段による燃料の供給圧力及び前記共通ファンによる燃焼用空気の供給流量を制御する単独循環加熱運転を実行し、前記給湯運転が実行されているときには、前記給湯制御部により制御されている前記共通ファンによる燃焼用空気の供給流量に応じた燃焼量が得られるように、前記共通燃料供給手段による燃料の供給圧力を制御する同時循環加熱運転を実行する循環加熱制御部と、
前記熱媒循環路から前記循環熱交換器に戻る熱媒の温度を検出する戻り熱媒温度検出手段と
を備えた熱源装置に関する。
【００１１】
そして、前記給湯制御部は、前記同時循環加熱運転が実行されているときに、前記給湯運転において、前記目標給湯燃焼量が得られる前記燃焼段が複数あり、前記戻り熱媒温度検出手段の検出温度が所定温度以下である場合には、燃焼させる前記バーナブロックの燃焼面の面積が少なくなる前記燃焼段を選択する燃焼面積減少処理を実行することを特徴とする。
【００１２】
かかる本発明によれば、給湯バーナが複数のバーナブロックにより燃焼面を分割して構成され、給湯制御部は、燃焼させるバーナブロックの組合せにより燃焼量の可変範囲の一部が重複した複数の燃焼段を設定し、目標給湯温度に対応した目標給湯燃焼量が得られる燃焼段を選択する。
【００１３】
ここで、目標給湯燃焼量が得られる燃焼段が複数ある場合には、燃焼させるバーナブロックの燃焼面の面積が大きい燃焼段を選択することで、消火状態のバーナブロックに供給されて給湯熱交換器を冷却する空気の流量を減らして、給湯熱交換器での熱交換の効率を向上させることができる。また、燃焼させるバーナブロックの燃焼面の面積が小さい燃焼段を選択した場合には、燃焼面の面積が大きい燃焼段の場合と同じ燃焼量を得るため、燃焼させるバーナブロックに燃料を供給する給湯マニホールドへの燃料供給圧が増大する。そして、燃焼用空気の供給流量が、燃焼させるバーナブロックの燃焼面の面積が大きい燃焼段を選択した場合よりも増加する。
【００１４】
そして、本発明の熱源装置は、給湯バーナ及び循環バーナに対する燃焼用空気の供給と燃料の供給とを、共通ファンと共通燃料供給手段とにより行っているため、給湯運転が実行されているときの同時循環加熱運転においては、循環加熱制御部は、給湯制御部により制御されている燃焼用空気の供給流量と燃料供給圧に応じた燃焼量で循環バーナを燃焼させている。そのため、給湯制御によって制御されている燃焼用空気の供給流量と燃料供給圧が少ないと、循環バーナの燃焼量が減少して循環熱交換器からドレンが生じ易くなる。
【００１５】
そこで、給湯制御部は、同時循環加熱運転が実行されているときに、目標給湯燃焼量が得られる燃焼段が複数ある場合には、燃焼させるバーナブロックの燃焼面の面積が小さくなる燃焼段を選択する燃焼面積減少処理を実行する。この場合、燃焼面の面積が小さくなっても、元の燃焼量を維持するために共通燃料制御部が燃料供給圧を増加させるので、給湯マニホールドから供給される燃料の流量は変わらない。
【００１８】
また、戻り熱媒温度検出手段の検出温度が所定温度以下であって、循環熱交換器でドレンが生じ易いと判断される場合に、燃焼面積減少処理が行われる。これにより、循環バーナに供給される燃焼用空気と燃料の供給流量が増加して、同時循環加熱運転による循環バーナの燃焼量が増加するため、循環熱交換器におけるドレンの発生を抑制して、給湯運転と循環加熱運転とを同時に実行することができる。
【００１９】
また、本発明は、給水管及び給湯管に接続された給湯熱交換器と、
複数のバーナブロックにより燃焼面を分割して構成され、前記給湯熱交換器を流通する水を加熱する給湯バーナと、
給湯ノズルを通してそれぞれの前記バーナブロックに燃料を供給する給湯マニホールドと、
熱媒循環路の途中に設けられた循環熱交換器と、
前記循環熱交換器を流通する熱媒を加熱する循環バーナと、
循環ノズルを通して前記循環バーナに燃料を供給する循環マニホールドと、
前記給湯マニホールド及び前記循環マニホールドに対する燃料の供給圧力を調整する共通燃料供給手段と、
前記給湯バーナ及び前記循環バーナに燃焼用空気を供給する共通ファンと、
前記給湯バーナについて、燃焼させる前記バーナブロックの組合せにより燃焼量の可変範囲の一部が重複した複数の燃焼段を設定し、前記給湯管から目標給湯温度の湯が供給されるように該目標給湯温度に対応する目標給湯燃焼量を決定して、該目標給湯燃焼量が得られるように、前記燃焼段を選択して、前記共通燃料供給手段による燃料の供給圧力及び前記共通ファンによる燃焼用空気の供給流量を制御する給湯運転を実行する給湯制御部と、
前記給湯運転が実行されていないときは、前記循環熱交換器から目標循環温度の熱媒が供給されるように、前記共通燃料供給手段による燃料の供給圧力及び前記共通ファンによる燃焼用空気の供給流量を制御する単独循環加熱運転を実行し、前記給湯運転が実行されているときには、前記給湯制御部により制御されている前記共通ファンによる燃焼用空気の供給流量に応じた燃焼量が得られるように、前記共通燃料供給手段による燃料の供給圧力を制御する同時循環加熱運転を実行する循環加熱制御部と
を備えた熱源装置において、
前記給湯制御部は、前記同時循環加熱運転が実行されているときに、前記給湯運転において、前記目標給湯燃焼量が得られる前記燃焼段が複数あり、前記循環バーナの燃焼量が所定燃焼量以下である場合には、燃焼させる前記バーナブロックの燃焼面の面積が少なくなる前記燃焼段を選択する燃焼面積減少処理を実行することを特徴とする。
【００２０】
この構成によれば、循環バーナの燃焼量が所定燃焼量以下であって、循環熱交換器でドレンが生じ易いと判断される場合に、燃焼面積減少処理が行われる。これにより、循環バーナに供給される燃焼用空気と燃料の供給流量が増加して、同時循環加熱運転による循環バーナの燃焼量が増加するため、循環熱交換器におけるドレンの発生を抑制して、給湯運転と循環加熱運転とを同時に実行することができる。
【図面の簡単な説明】
【００２１】
【図１】本発明の熱源装置の構成図。
【図２】給湯制御部の作動フローチャート。
【図３】追焚きバーナの燃焼量と共通ファンの回転速度との対応マップの説明図。
【図４】追焚きバーナ及び給湯バーナの燃焼量と共通ファンの回転速度との対応マップの説明図。
【発明を実施するための形態】
【００２２】
本発明の実施形態の一例について、図１〜図４を参照して説明する。
【００２３】
［１．熱源装置の構成］
図１を参照して、本実施形態の熱源装置１は、給水管４１から供給される水を加熱して給湯管４２から出湯する給湯機能と、風呂往き管６２及び風呂戻り管６１から成る風呂循環路６７（本発明の熱媒循環路に相当する）を経由して、図示しない浴槽に貯められた湯水（本発明の熱媒に相当する）を加熱する追焚き機能とを有する複合タイプの熱源装置である。
【００２４】
熱源装置１は、燃焼室を形成する缶体５内に、給水管４１及び給湯管４２に接続されて内部を水が流通する給湯熱交換器４０と、風呂循環路６７の途中に設けられて内部を湯水が流通する追焚き熱交換器６０（本発明の循環熱交換器に相当する）とを備えている。
【００２５】
給湯熱交換器４０の下方に給湯熱交換器４０を流通する水を加熱する給湯バーナ３０が設けられ、追焚き熱交換器６０の下方に追焚き熱交換器６０を流通する湯水を加熱する追焚きバーナ５０（本発明の循環バーナに相当する）が設けられている。給湯バーナ３０は、大バーナブロック３１ａ、中バーナブロック３１ｂ、及び小バーナブロック３１ｃという三つのバーナブロックにより燃焼面を分割して構成されている。また、給湯バーナ３０と追焚きバーナ５０に燃焼用空気を供給する共通ファン７５が設けられている。
【００２６】
給湯バーナ３０及び追焚きバーナ５０に燃料ガスを供給するガス供給路７０には、大バーナブロック３１ａへの燃料ガスの供給と遮断とを切り替える給湯大電磁弁３２、中バーナブロック３１ｂへの燃料ガスの供給と遮断とを切り替える給湯中電磁弁３３、小バーナブロック３１ｃへの燃料ガスの供給と遮断とを切り替える給湯小電磁弁３４、追焚きバーナ５０への燃料ガスの供給と遮断とを切り替える追焚き電磁弁５２、給湯バーナ３０と追焚きバーナ５０への燃料ガスの供給と遮断とを切り替える元ガス電磁弁７１、及び給湯バーナ３０と追焚きバーナ５０への燃料ガスの供給圧力を変更するガス比例弁７２（本発明の共通燃料供給手段に相当する）が設けられている。
【００２７】
給湯バーナ３０の大バーナブロック３１ａ、中バーナブロック３１ｂ、及び小バーナブロック３１ｃへの燃料ガスの供給は、それぞれ、給湯マニホールド８０ａ，８０ｂ，８０ｃから給湯ノズル８１を介して行われる。この場合、ガス比例弁７２で設定された燃料ガスの供給圧力により給湯バーナ３０への燃料ガスの供給流量が規定されて、給湯バーナ３０の燃焼量が決定される。
【００２８】
同様に、追焚きバーナ５０への燃料ガスの供給は、追焚きマニホールド９０から追焚きノズル９１を介して行われる。この場合、ガス比例弁７２で設定された燃料ガスの供給圧力により追焚きバーナ５０への燃料ガスの供給流量が規定されて、追焚きバーナ５０の燃焼量が決定される。
【００２９】
給水管４１には、給水管４１を流通する水の流量を検出する水量センサ４６、給水管４１の開度を変更する水量サーボ弁４５、及び給水管４１と給湯管４２を連通したバイパス管４３の開度を変更するバイパスサーボ弁４４が設けられている。給湯管４２には、給湯管４２から出湯される湯の温度を検出する給湯温度センサ４７が設けられている。
【００３０】
風呂戻り管６１には、浴槽から風呂戻り管６１に流入する湯水の温度を検出する風呂戻り温度センサ６６（本発明の戻り熱媒温度検出手段に相当する）、浴槽内の湯水を風呂循環路６７を経由して循環させる風呂ポンプ６５、浴槽内の湯水の水位を検出する水位センサ６４、及び風呂循環路６７を流通する湯水の有無を検出する風呂水流スイッチ６３が設けられている。
【００３１】
さらに、熱源装置１には、熱源装置１の全体的な作動を制御するコントローラ１０が設けられている。コントローラ１０は、ＣＰＵ、メモリ、各種インターフェース回路等を備えて構成された電子回路ユニットであり、メモリに保持された熱源装置１の制御用プログラムをＣＰＵで実行することによって、給湯運転を実行する給湯制御部１１及び追焚き運転（本発明の循環加熱運転に相当する）を実行する追焚き制御部１２（本発明の循環加熱制御部に相当する）として機能する。
【００３２】
給湯運転及び追焚き運転の詳細については、後述する。コントローラ１０はリモコン２０と接続されており、使用者はリモコン２０により熱源装置１を遠隔操作することができる。
【００３３】
コントローラ１０には、給湯温度センサ４７、水量センサ４６、風呂水流スイッチ６３、水位センサ６４、及び風呂戻り温度センサ６６の各検出信号と、リモコン２０からの操作信号とが入力される。
【００３４】
また、コントローラ１０から出力される制御信号により、元ガス電磁弁７１、ガス比例弁７２、給湯大電磁弁３２、給湯中電磁弁３３、給湯小電磁弁３４、共通ファン７５、水量サーボ弁４５、バイパスサーボ弁４４、追焚き電磁弁５２、及び風呂ポンプ６５の作動と、リモコン２０の表示部の画面等が制御される。
【００３５】
［２．給湯運転］
給湯制御部１１は、水量センサ４６により下限流量以上の水の流通が検出されている時に、給湯管４２から目標給湯温度の湯が出湯されるように、給湯バーナ３０の燃焼量、バイパスサーボ弁４４の開度、及び水量サーボ弁４５の開度を制御する給湯運転を実行する。
【００３６】
ここで、図４のＭ２は、縦軸を共通ファン７５の回転速度（給湯バーナ３０及び追焚きバーナ５０に対する燃焼用空気の供給流量を決定する）に設定し、横軸を給湯バーナ３０の燃焼量（熱量）に設定して、各燃焼段Ｓ１〜Ｓ５における共通ファン７５の回転速度と給湯バーナ３０の燃焼量との対応関係を示した対応マップである。
【００３７】
給湯制御部１１は、対応マップＭ２に示したように、給湯バーナ３０について、燃焼させるバーナブロックの組合せにより、Ｓ１（最下位）〜Ｓ５（最上位）の５段階の燃焼段を設定している。
【００３８】
Ｓ１では小バーナブロック３１ｃのみを燃焼させ、Ｓ５では小バーナブロック３１ｃと中バーナブロック３１ｂと大バーナブロック３１ａとを全て燃焼させる。Ｓ２〜Ｓ４では、給湯バーナ３０の燃焼面の面積が次第に増大するように、燃焼させるバーナブロック３１ａ，３１ｂ，３１ｃの組合せが設定されている。隣接する燃焼段では、燃焼段を切り替える際のハンチングを防止するために、燃焼量の可変範囲の一部が重複している。
【００３９】
給湯制御部１１は、給湯運転において、目標給湯温度に応じた給湯バーナの目標燃焼量を決定する。そして、給湯制御部１１は、基本的には、燃焼段Ｓ１〜Ｓ５のうちで目標燃焼量が得られる最上位の燃焼段を選択し、元ガス電磁弁７１、給湯大電磁弁３２、給湯中電磁弁３３、給湯小電磁弁３４、及びガス比例弁７２の作動を制御して、給湯バーナ３０への燃料ガスの供給流量を調節すると共に、共通ファン７５の回転速度を制御して、給湯バーナ３０への燃焼用空気の供給流量を調節する。
【００４０】
［３．追焚き運転］
追焚き制御部１２は、給湯運転が実行されていない追焚き運転の単独実行時には、追焚き熱交換器６０から風呂往き管６２に出湯される湯の温度が目標追焚き温度となるように、追焚きバーナ５０の燃焼量を制御すると共に、風呂ポンプ６５を作動させる単独追焚き運転（本発明の単独循環加熱運転に相当する）を実行する。
【００４１】
ここで、図３，図４のＭ１は、縦軸を共通ファン７５の回転速度に設定し、横軸を追焚きバーナ５０の燃焼量（熱量）に設定して、共通ファン７５の回転速度と追焚きバーナ５０の燃焼量との対応関係を示した対応マップである。追焚き制御部１２は、対応マップＭ１に従って、目標追焚き温度（本発明の目標循環温度に相当する）に対応した追焚きバーナ５０の燃焼量を決定する。
【００４２】
また、給湯運転と追焚き運転が同時に実行されるときには、給湯運転が優先され、上述したように、給湯制御部１１により、共通ファン７５の回転速度が、対応マップＭ２により決定された目標給湯燃焼量に応じた回転速度に設定される。そして、熱源装置１は、給湯バーナ３０への燃焼用空気の供給と追焚きバーナ５０への燃焼用空気の供給とを共通ファン７５により行っているため、追焚き制御部１２は、共通ファン７５の回転速度を変更することができない。
【００４３】
そのため、給湯運転と追焚き運転とが同時に実行されるときには、追焚き制御部１２は、給湯制御部１１により決定された共通ファン７５の回転速度に対応する追焚きバーナ５０の燃焼量を対応マップＭ１により取得し、この取得した燃焼量で追焚きバーナ５０を燃焼させる同時追焚き運転（本発明の同時循環加熱運転に相当する）を実行する。
【００４４】
［４．追焚き熱交換器でのドレン発生を防止するための処理］
同時追焚き運転において、追焚きバーナ５０の燃焼量は、上述したように、給湯制御部１１により決定された目標給湯燃焼量に応じて設定される。そのため、目標給湯燃焼量によっては、追焚きバーナ５０の燃焼量が少なくなって追焚き熱交換器６０においてドレンが発生し易い状況となる。
【００４５】
そこで、給湯制御部１１は、給湯運転と追焚き運転の同時実行時における追焚き熱交換器６０でのドレンの発生を防止するための処理を実行する。以下、図２に示したフローチャートに従って、この処理について説明する。
【００４６】
図２のＳＴＥＰ１で、給湯制御部１１は、使用者が給湯管４２の先端に接続された給湯栓（図示しない）を開栓して上水道から給水管４１への給水が開始され、給湯条件（水量センサ４６による検出流量が下限流量以上）が成立しているときに、ＳＴＥＰ２に進んで給湯運転を実行する。
【００４７】
続くＳＴＥＰ３で、給湯制御部１１は、追焚き制御部１２により追焚き運転（同時追焚き運転）が実行されているか否かを判断する。そして、追焚き運転が実行されている時はＳＴＥＰ４に進み、追焚き運転が実行されていないときには、ＳＴＥＰ２０に分岐する。
【００４８】
ＳＴＥＰ２０に分岐した場合（給湯運転の単独運転時）、給湯制御部１１は、目標給湯燃焼量が得らえる上位の燃焼段があるか否かを判断する。そして、目標給湯燃焼量が得られる上位の燃焼段があるときはＳＴＥＰ２１に進み、目標給湯燃焼量が得られる上位の燃焼段がないときにはＳＴＥＰ２２に分岐する（この場合、給湯制御部１１は燃焼段を変更しない）。
【００４９】
ＳＴＥＰ２１で、給湯制御部１１は、給湯バーナ３０の燃焼段を１段上げて給湯バーナ３０の燃焼面の面積を増大させる（燃焼面積増大処理）。これにより、消火状態の給湯バーナ３０の燃焼面の面積を増大させ、消火状態のバーナブロックに供給される燃焼用空気によって給湯熱交換器４０が冷却されて、給湯熱交換器４０における熱交換効率が低下することを抑制している。
【００５０】
続くＳＴＥＰ２２で、給湯制御部１１は、給湯条件が成立しているか否かを判断する。そして、給湯条件が成立しているときは、ＳＴＥＰ２に進んで給湯運転を継続する。また、給湯条件が成立していないときにはＳＴＥＰ９に分岐し、給湯制御部１１は、給湯運転を終了してＳＴＥＰ１に戻る。
【００５１】
一方、ＳＴＥＰ３からＳＴＥＰ４に進んだとき（給湯運転と追焚き運転の同時実行時）には、給湯制御部１１は、以下の二つの条件が共に成立しているか否かを判断する。
（１） 追焚きバーナ５０の燃焼量が下限燃焼量（図３，４の対応マップＭ１におけるドレン下限熱量、本発明の所定燃焼量に相当する）以下。本実施形態では、図３，４の対応マップＭ１に示したように、下限燃焼量が約５５００kcal/hに設定されている。
（２） 風呂戻り温度センサ６６の検出温度（風呂戻り温度）が下限温度（本発明の所定温度に相当する）以下。本実施形態では、下限温度が例えば３３度に設定されている。
【００５２】
そして、上記（１），（２）の条件が共に成立していて、追焚き熱交換器６０においてドレンが生じ易い状況であるときはＳＴＥＰ５に進み、給湯制御部１１は、ドレンの発生を防止するための処理を行う。一方、上記（１）と（２）のうち、少なくともいずれか一方の条件が成立していないときにはＳＴＥＰ２０に分岐する。
【００５３】
なお、上記（１）と（２）の条件のうちのいずれか一方のみを判断し、いずれかの条件が成立したときに、ＳＴＥＰ５以降の処理を行うようにしてもよい。
【００５４】
ＳＴＥＰ５で、給湯制御部１１は、目標給湯燃焼量が得られる下位の燃焼段があるか否かを判断する。そして、目標給湯燃焼量が得られる下位の燃焼段があるときはＳＴＥＰ３０に分岐し、目標給湯燃焼量が得られる下位の燃焼段がないときにはＳＴＥＰ６に進む。
【００５５】
ＳＴＥＰ３０で、給湯制御部１１は、給湯バーナ３０の燃焼段を１段下げる（燃焼面積減少処理）。そしてＳＴＥＰ３１に進み、給湯運転と追焚き運転の同時運転を継続してＳＴＥＰ２２に進む。ここで、図４を参照して、給湯バーナ３０の燃焼段を下げることによる効果について説明する。
【００５６】
図４の対応マップＭ２において、Ｐａ１は、給湯バーナ３０の燃焼段がＳ４に選択されているときに、燃焼量（熱量）が１２０００kcal/hとなる点（燃焼ポイント）を示している。この場合、燃焼量に応じた燃焼量空気の流量が得られる共通ファン７５の回転速度が約１１０Hzとなる。
【００５７】
そして、対応マップＭ１により、この回転速度１１０Hzに対応する追焚きバーナ５０の燃焼量（熱量）が約４５００kcal/hとなるが、これでは追焚きバーナ５０の熱量がドレン下限熱量である５５００kcal/h以下になって、追焚き熱交換器６０においてドレンが生じ易くなる。
【００５８】
そこで、給湯制御部１１は、図４の対応マップＭ２に矢印Ａ１で示したように、給湯バーナ３０の燃焼段を１段下げてＳ３とし、これにより給湯バーナ３０の燃焼ポイントをＰａ１からＰａ２に移行させる。このように、給湯バーナ３０の燃焼段を下げることによって、給湯バーナ３０で１２０００kcal/hの燃焼量が得られる共通ファン７５の回転速度が１１０Hzから１９０Hzに増加する。
【００５９】
そして、図４の対応マップＭ１に矢印Ａ２で示したように、共通ファン７５の回転速度の増加に応じて、追焚きバーナ５０の燃焼ポイントがＰｂ１からＰｂ２に移行し、追焚きバーナ５０の燃焼量が４５００kcal/hから６４００kcal/hに増加する。これにより、追焚き熱交換器６０におけるドレンの発生を抑制することができる。
【００６０】
一方、ＳＴＥＰ５で目標給湯燃焼量が得られる下位の燃焼段がなく、ＳＴＥＰ６に進んだときには、給湯制御部１１は、追焚き制御部１２に対して追焚き運転の中断を指示し、これにより追焚き運転（同時追焚き運転）が中断される。
【００６１】
続くＳＴＥＰ７で、給湯制御部１１は、給湯条件が成立しているか否かを判断し、給湯条件が成立しなくなったときにＳＴＥＰ８に進み、給湯制御部１１は、追焚き制御部１２に対して追焚き運転の再開を指示する。これにより、追焚き制御部１２は、追焚き運転（単独追焚き運転）を実行する。続くＳＴＥＰ９で、給湯制御部１１は、給湯運転を終了してＳＴＥＰ１に戻る。
【００６２】
［５．他の実施形態］
上記実施形態では、本発明の循環加熱運転を行う構成として、追焚き制御部１２、追焚きバーナ５０、追焚き熱交換器６０、風呂循環路６７、及び風呂戻り温度センサ６６を示したが、熱媒の循環路に設けられた循環熱交換器を流通する熱媒を循環バーナにより加熱する構成を有して、共通ファンにより給湯バーナと循環バーナに燃焼用空気を供給し、共通燃料供給手段により給湯バーナと循環バーナに燃料を供給する熱源装置であれば、本発明の適用が可能である。
【００６３】
例えば、暖房端末に接続された暖房循環路（本発明の熱媒循環路）に設けられた暖房熱交換器（本発明の循環熱交換器）を暖房バーナ（本発明の循環バーナ）により加熱する構成を有して、共通ファンにより給湯バーナと暖房バーナに燃焼用空気を供給し、共通燃料供給手段により給湯バーナと暖房バーナに燃料を供給する熱源装置に対して、本発明の適用が可能である。
【００６４】
また、上記実施形態では、燃料ガスを燃焼させる給湯バーナ３０及び追焚きバーナ５０を示したが、灯油等の他の種類の燃料を燃焼させるバーナであってもよい。
【００６５】
また、上記実施形態では、本発明の熱媒として、風呂循環路６７を流通する湯水を示したが、不凍液等の他の熱媒であってもよい。
【符号の説明】
【００６６】
１…熱源装置、１０…コントローラ、１１…給湯制御部、１２…追焚き制御部（循環加熱制御部）、２０…リモコン、３０…給湯バーナ、３１ａ〜３１ｃ…バーナブロック、４１…給水管、４２…給湯管、５０…追焚きバーナ（循環バーナ）、６０…追焚き熱交換器（循環熱交換器）、６６…風呂戻り温度センサ（循環戻り温度センサ）、６７…風呂循環路（熱媒循環路）、７２…ガス比例弁（共通燃料供給手段）、７５…共通ファン、８０ａ〜８０ｃ…給湯マニホールド、８１…給湯ノズル、９０…追焚きマニホールド（循環マニホールド）、９１…追焚きノズル（循環ノズル）。
【図１】
0006635830.tif 000002
【図２】
0006635830.tif 000003
【図３】
0006635830.tif 000004
【図４】
0006635830.tif 000005